(57)【特許請求の範囲】
【請求項１】
画像印刷装置の特性に基づいた画像処理情報と、撮像装置により撮影して得られた画像のデジタル画像データとを格納するための着脱可能な二次記憶手段に接続するための接続手段と、
前記二次記憶手段から前記画像処理情報と前記デジタル画像データとを読み出す読み出し手段と、
前記読み出し手段により読み出された前記デジタル画像データを、前記画像処理情報に基づいて画像処理を行う処理手段と、
前記画像処理されたデジタル画像データを印刷出力する印刷手段とを有することを特徴とする画像印刷装置。
【請求項２】
前記二次記憶手段は複数の画像処理情報を記憶し、記憶された複数の画像処理情報の内の１つを選択する選択手段を更に有することを特徴とする請求項１に記載の画像印刷装置。
【請求項３】
画像印刷装置の特性に基づいた画像処理情報と、撮像装置により撮影して得られた画像のデジタル画像データとを格納する着脱可能な二次記憶手段を用いる画像印刷方法において、
前記二次記憶手段に接続する接続工程と、
前記二次記憶手段から前記画像処理情報と前記デジタル画像データとを読み出す読み出し工程と、
前記読み出し工程で読み出された前記デジタル画像データを、前記画像処理情報に基づいて画像処理を行う処理工程と、
前記処理工程で画像処理されたデジタル画像データを印刷出力する印刷工程とを有することを特徴とする画像印刷方法。
【請求項４】
前記二次記憶手段は複数の画像処理情報を記憶し、記憶された複数の画像処理情報の内の１つを選択する選択工程を更に有することを特徴とする請求項３に記載の画像印刷方法。
【発明の詳細な説明】
【０００１】
【発明の属する技術分野】
本発明は、撮像装置、撮像方法、画像印刷装置及び画像印刷方法に関し、特にデジタルスチルカメラ等の撮像装置および撮像方法、また撮像装置によって撮影した画像をパーソナルコンピュータなどのコンピュータを介さずに直接プリンタなどの印刷装置に接続して印刷する画像印刷装置及び方法に関するものである。
【０００２】
【従来の技術】
従来、デジタルスチルカメラ等の撮像装置で撮影するために、図１６に示すような限られたスイッチを操作して、撮影モードにおける圧縮率等のパラメータ、フォーカス、フラッシュ、シャッタスピード等を設定する機能を有するものがある。
【０００３】
図１６において、１６はデジタルスチルカメラ本体、１６０１はシャッタースイッチ、１６０２は電源ＯＮ／ＯＦＦスイッチ、１６０３は撮像モードと再生モードのいずれかに設定するための撮像／再生モード設定スイッチである。１６０４は選択スイッチであり、撮像／再生モード設定スイッチ１６０３によって再生モードが設定された時には再生する画像を選択し、また撮像モードが設定されて設定メニューが液晶画面に表示されている時はその設定メニューの項目のどれかを選択するために用いられる。また１６０５はメニュースイッチであり、撮像モードの時に設定メニューを表示させたり、選択スイッチ１６０４により選択された設定メニューの項目を決定して次の設定メニュー画面に移るために用いられる。１６０６は液晶表示画面である。
【０００４】
図１６では、撮像／再生モード設定スイッチ１６０３により撮影モードが設定されている状態で、メニュースイッチ１６０５を一回押下することにより液晶表示画面１６０６に表示された設定メニューの例を示している。この場合、選択スイッチ１６０４を押下する毎に「ファイン」、「スタンダード」、「エコノミー」のいずれかの表示が、例えば文字の色が変ったり、網掛け表示になるなど変化する。ファインモードに設定する場合、図１６で「ファイン」が網掛け表示になっている状態でメニュースイッチ１６０５を押下するとファインモードに設定され、次のメニュー画面、例えばシャッタースピードの設定画面が表示される。同様に選択スイッチ１６０４を押下して所望のシャッタースピードの値が網掛け表示になった状態でメニュースイッチ１６０５を押下すると、シャッタースピードが設定されて、次のメニュー画面が表示される。一通りの設定が終了して次のメニューが無い場合はメニュー表示は消え、撮影モードが設定されていれば撮影可能となり、再生モードが設定されていれば最初の画像データが再生表示される。
【０００５】
また、撮影した画像を再生して液晶表示装置で見ることができるタイプがあるが、図１７に示すように撮影した画像のみを表示するもので、その画像のタイトルや撮像場所といった画像に付加して記憶しておきたい情報などを表示することはできなかった。
【０００６】
また、撮像装置により撮影したカラー画像を印刷する場合、パーソナルコンピュータ（以下ＰＣと略記するものとする）等のホストコンピュータに撮像装置及び印刷装置を接続し、一旦撮像装置から取り込んだ画像データをホストコンピュータ本体に取り込み、画像処理などを行った後、印刷装置で印刷を行っていた。
【０００７】
また、ＰＣなどの操作に不慣れなユーザーのために、撮像装置で撮影した画像を簡単な操作で印刷できるように、撮像装置と印刷装置とをＰＣを介さずに直接接続し、入力画像の印刷を行うシステムも考案されている。
【０００８】
しかし、いずれの場合も前記液晶表示装置による表示と同様に、画像のみの取り込みまたは印刷であった。図１８に従来の印刷結果の一例を示す。同図において１８０１は印刷用紙、１８０２は印刷された画像である。
【０００９】
【発明が解決しようとする課題】
従って、上記従来例では以下のような問題点があった。
（１）撮像装置の設定を少ないスイッチを用いて行わなければならないため、操作回数が多くなり、操作が煩雑になってしまう。また撮影する場所、例えば展示会会場等へ行ってしまうと、忙しくて設定することを忘れてしまったり、設定操作を行う時間がないということもある。
（２）いつ、どこで、何を撮影した画像であるのかが、後になって分からなくなってしまう。例えば、展示会の各出展者の展示内容を撮影するような場合、同一技術や類似形態の展示が複数あった場合には、どの出展者の展示であったか等が判別できなくなってしまう。
（３）印刷した画像に付加情報を加える場合、例えばどの出展者のものであったか等、後から画像を印刷した用紙に記入するか、またはＰＣ経由で印刷する場合にはＰＣでコメントを書き込んで印刷しなければならない。また、この時点でどの画像がどの出展者によるものか忘れてしまった場合や判別できない場合にはどうすることもできない。
（４）撮像装置に蓄積された画像データに背景画像やタイトル等を付加して印刷したい場合は、ＰＣに一度取り込み、専用のソフトウェアを起動して背景画像を撮像装置から取り込んだ画像データに合成したり、タイトル等を入力して印刷させなければならない。また、撮像装置から印刷装置へ直接画像データを送信して印刷させる形態の場合は、背景画像の合成やタイトル等の付加はできない。
（５）撮像装置の画像データを直接プリンタにより印刷する場合には、色処理や画像処理に関する情報はＲＯＭなどの固定記憶装置に格納されているので、新規の色処理及び画像処理に対応できない。更に、撮像装置及び印刷装置間の色処理及び画像処理に関する情報は通常互いに異なっているので、同一の画像処理情報に基づいた処理が行われない。
【００１３】
また、本発明の目的は、デジタルスチルカメラなどの撮像装置から印刷装置へ直接画像データを送信してプリント出力する場合に、新規の画像処理に対応し、撮像装置及び印刷装置間で同一の画像処理方法に基づいた画像処理を行うことのできる撮像装置、画像印刷装置及び方法を提供することにある。
【００２６】
【課題を解決するための手段】
上記目的を達成するために本発明の画像印刷装置は、画像印刷装置の特性に基づいた画像処理情報と、撮像装置により撮影して得られた画像のデジタル画像データとを格納するための着脱可能な二次記憶手段に接続するための接続手段と、前記二次記憶手段から前記画像処理情報と前記デジタル画像データとを読み出す読み出し手段と、前記読み出し手段により読み出された前記デジタル画像データを、前記画像処理情報に基づいて画像処理を行う処理手段と、前記画像処理されたデジタル画像データを印刷出力する印刷手段とを有する。
【００２８】
また、本発明の画像印刷方法は、画像印刷装置の特性に基づいた画像処理情報と、撮像装置により撮影して得られた画像のデジタル画像データとを格納する着脱可能な二次記憶手段を用いる画像印刷方法であって、前記二次記憶手段に接続する接続工程と、前記二次記憶手段から前記画像処理情報と前記デジタル画像データとを読み出す読み出し工程と、前記読み出し工程で読み出された前記デジタル画像データを、前記画像処理情報に基づいて画像処理を行う処理工程と、前記処理工程で画像処理されたデジタル画像データを印刷出力する印刷工程とを有する。
【００２９】
上記構成によれば、画像処理に関わる各種処理情報があらかじめ着脱可能な二次記憶装置上に記憶されているため、撮像装置及び印刷装置間で同一の画像処理情報に基づいた画像処理を行うことができるため、より効果的な画像処理を行うことができる。
【００３０】
【発明の実施の形態】
以下、添付図面を参照して本発明の好適な実施の形態を詳細に説明する。
【００３１】
（第１の実施形態）
図１は本発明の第１の実施の形態におけるデジタルスチルカメラの構成を示すブロック図である。
【００３２】
同図において、１０１はデジタルスチルカメラ１全体を制御するための中央制御部、１０２は中央制御部１０１が動作するためのプログラム命令等が予め格納されているＲＯＭ、１０３は中央制御部１０１が動作するために必要に応じてデータの書き込みおよび読み出しを行うためのＲＡＭ、１０４は撮影した画像データを蓄積するためのものであって、デジタルスチルカメラ１の電源（不図示）をＯＦＦにしてもデータが保持されるフラッシュメモリ、１０５はカレンダー機能を有する計時部、１０６は電池である。電池１０６は、デジタルスチルカメラ１の不図示の電源をＯＦＦにしても計時部１０５が計時を続けられるように電力を供給する。
【００３３】
１０７は映像を変換し、デジタル映像信号として色処理変換部１０８に送出する撮像部である。１０８は色処理変換部であり、中央制御部１０１の制御に基づいて撮像部１０７から出力されたデジタル映像信号の色処理変換を行い、該映像信号を画像データに変換して画像メモリ１０９へ送出する。１０９は画像メモリであり、色処理変換部１０８からの画像データを一時的に記憶する。画像メモリ１０９に記憶された画像データは中央制御部１０１の制御によってフラッシュメモリ１０４に移されたり、液晶駆動部１１０へ送出される。液晶駆動部１１０は、中央制御部１０１の制御に従い、画像メモリ１０９に記憶された画像データや、中央制御部１０１からのデータを受けて液晶表示部１１１を駆動する。液晶表示部１１１は、液晶駆動部１１０の制御により画像メモリ１０９の画像データを表示することによりファインダーとして機能をしたり、フラッシュメモリ１０４に蓄積されている画像データを表示することでモニタの機能をしたり、また、中央制御部１０１からのデータを表示する。
【００３４】
１１２はデジタルスチルカメラ１に設置されている、シャッタースイッチ、モード設定スイッチ、電源ＯＮ／ＯＦＦスイッチ、画像データ選択スイッチ等のスイッチ群であり、１１３はスイッチ群１１２の各スイッチの状態を入力して、中央制御部１０１へ伝達するための入力ポートである。１１４はＰＣやプリンタとの通信手段である赤外線通信部であり、パラレルデータからシリアルデータへ、またシリアルデータからパラレルデータへ相互に変換するためのパラレル／シリアル変換部１１５、赤外線で無線通信を行うために適した信号形式に符号化したり復号化したりするための符号化復号化部１１６、電気信号を赤外線に変換する発光器１１７および赤外線を電気信号に変換する受光器１１８とからなる。即ち、本実施の形態では、通信手段として赤外線による無線通信手段を用いる。
【００３５】
１２０は、中央制御部１０１により設定された圧縮率で画像メモリ内の画像データを圧縮処理してフラッシュメモリ１０４に格納するための画像圧縮処理部である。１１９は、デジタルスチルカメラ１の内部の各部、即ち、中央制御部１０１、ＲＯＭ１０２、ＲＡＭ１０３、フラッシュメモリ１０４、計時部１０５、撮像部１０７、色処理変換部１０８、画像メモリ１０９、液晶駆動部１１０、入力ポート１１３、パラレル／シリアル変換部１１５、画像圧縮処理部１２０を接続してデータの受け渡し等を行うための内部バスである。
【００３６】
図２はデジタルスチルカメラ１の外観図である。
【００３７】
同図において、２０１、２０２、２０３、２０４、２０５は図１に示したスイッチ群１１２の各スイッチであり、２０１は撮像部１０７が映像を読み込むタイミングを指示するためのシャッタースイッチ、２０２は電源ＯＮ／ＯＦＦスイッチ、２０３は撮像／再生のモード設定スイッチ、２０４は再生モードに設定されている時に、撮像してフラッシュメモリ１０４に蓄積されている画像データの中から一つを選択して液晶表示部１１１に表示させるための画像選択スイッチ、２０５は後述する印刷装置に対して印刷させるデータの送信開始を指示するための印刷スイッチである。また、２０６は赤外線による無線通信を行うための赤外線透過部であり、この内部に発光器１１７および受光器１１８が載置されている。２０７は図１のブロック図に示した液晶表示部１１１により表示される液晶表示画面である。
【００３８】
図３は、本発明の第１の実施形態にかかるデジタルスチルカメラ１において、外部ＰＣから送信されるデータをデジタルスチルカメラ１を制御するためのデータとして設定する手順を示すフローチャートである。また、図４は図３で外部ＰＣから送信され記憶された設定データに基づいて撮像処理を行う場合及び画像再生を行う場合の手順を示すフローチャートである。以下、図３および図４に沿って説明する。
【００３９】
図３のフローチャートにおいては、予めデジタルスチルカメラ１の電源スイッチ３０２が押下され、入力ポート１１３を通して中央制御部１０１がこれを認識して、不図示の電源部から各部へ電力が供給されている状態になっているものとする。
【００４０】
また、不図示のＰＣは、デジタルスチルカメラのシャッタースピード、圧縮率、解像度など、撮像動作に必要な各パラメータを設定するためのソフトウェアを起動し、上記ＰＣはＩｒＤＡ（Ｉｎｆｒａｒｅｄ  Ｄａｔａ  Ａｓｓｏｃｉａｔｉｏｎ）の仕様に準拠した赤外線通信機能を有している。
【００４１】
赤外線透過部２０６を通して赤外線信号を受光器１１８が受信すると（Ｓ１０１）、受光器１１８は赤外線信号を電気信号に変換する。変換された電気信号は符号化復号化部１１６によって復号化され、更にパラレル／シリアル変換部１１５によってシリアルデータからパラレルデータに変換されて、中央制御部１０１がその内容を読み取る。中央制御部１０１は相手装置（ＰＣ）に対して応答信号を出力する。出力されたパラレルデータの応答信号はパラレル／シリアル変換部１１５によってシリアルデータに変換し、符号化復号化部１１６によって符号化した後、更に発光器１１７によって電気信号から赤外線信号に変換して送信する（Ｓ１０２）。ここで中央制御部１０１は計時部１０５を起動して計時を開始する（Ｓ１０３）。これは、相手装置との距離の変化や光軸のずれ、遮蔽物の混入等によって赤外線通信が続行不可能になる場合があるため、ある一定時間以上経過しても相手装置から赤外線信号を受信しなかった場合に処理を中断することにより、永久的に待ち状態になることを防ぐためである。
【００４２】
続いてＰＣから赤外線信号でデータを受信する（Ｓ１０４）。ここでＰＣから受信されるデータは、ＰＣにより起動されているソフトウエアを用いてあらかじめ設定された圧縮率やシャッタースピードや解像度等、撮像動作に必要な各パラメータである。ステップＳ１０４でデータを受信すると、中央制御部１０１は計時部１０５による計時を停止し（Ｓ１０５）、受信したデータ（設定データ）をフラッシュメモリ１０４の特定領域（設定データ格納領域）に格納する（Ｓ１０６）。同様に、次のデータを受信したらフラッシュメモリ１０４に順次格納する。一連の設定データの受信を終了するか、またはＰＣから設定データ送信終了を示すデータが送信されてきたら（Ｓ１０７）、赤外線通信を切断するためのコマンドを送信し合い、通信を終了する（Ｓ１０８）。
【００４３】
一方、ステップＳ１０３で計時を開始してから所定時間が経過した場合（Ｓ１０９）は赤外線通信を切断するコマンドを送信して（Ｓ１１０）通信を終了する。
【００４４】
図４は第１の実施形態における撮影時及び画像再生時の動作および制御手順を示す。先ず電源ＯＮ／ＯＦＦスイッチ２０２がＯＮされると（Ｓ２０１）、中央制御部１０１は入力ポート１１３を中継してこれを認識し、各部に電力を供給するように不図示の電源部を制御する（Ｓ２０２）。次にモード設定スイッチ２０３を操作して撮像モードに設定されたことを入力ポート１１３を中継して認識した場合、或いは上記電源をＯＮした時点で撮像モードに設定されており、中央制御部が入力ポート１１３を中継してこれを認識した場合は（Ｓ２０３）、図３の手順によって格納された各設定データをフラッシュメモリ１０４の設定データ格納領域より読み出す（Ｓ２０４）。そして、該読み出した設定データの内容に従って、例えば撮影モードにおける画像データの圧縮率等の設定やシャッタスピードの設定を撮像部１０７や画像圧縮処理部１２０に対して行う（Ｓ２０５）。以後はシャッタスイッチ２０１を押下すると上記設定された内容に従って撮影が行われ、撮影して得られた画像データは圧縮されてフラッシュメモリ１０４の画像データ格納領域に格納される。
【００４５】
一方、ステップＳ２０３において、モード設定スイッチ２０３が再生モードを指示するようにセットされていたり、再生モードに変更するためにモード設定スイッチ２０３が操作された場合は、フラッシュメモリ１０４に蓄積されている画像データの内の一枚分を読み出して（Ｓ２０６）、画像メモリ１０９に一時的に記憶し、液晶駆動部１１０を通して液晶表示部１１１に画像を表示する（Ｓ２０７）。更に、中央制御部１０１が画像選択スイッチ２０４が押下されたことを入力ポート１１３を中継して認識すると（Ｓ２０８）、フラッシュメモリ１０４の次の画像データ格納領域から画像データを読み出して（Ｓ２０９）、画像メモリ１０９に一時記憶し、液晶駆動部１１０を通して液晶表示部１１１に画像を表示する（Ｓ２１０）。
【００４６】
本実施の形態によれば、デジタルスチルカメラの圧縮率、シャッタスピード等の各設定情報をＰＣ等から予め送信して格納させることが可能となる。
【００４７】
また、撮影を行うときには、デジタルスチルカメラの電源を投入して撮像モードにすれば、自動的に上記予め格納された設定データを読み出して各部が設定される。
【００４８】
（第２の実施形態）
図５及び図６は本発明の第２の実施形態を説明するためのデジタルスチルカメラ１の中央制御部１０１による制御手順を示すフローチャートである。また、図８は本実施例の形態を説明するためのデジタルスチルカメラ１の外観図であり、その各部の名称および機能は図２で説明したものと同一であるので説明を省略する。但し画像選択スイッチ２０４は、再生モード時においてフラッシュメモリ１０４に格納された画像データを読み出して液晶表示部１１１に表示させる画像を選択するためのスイッチであると同時に、撮像モード時において以下に説明するようにフラッシュメモリ１０４から付加情報を読み出して図７に示すように液晶表示画面２０７に表示させる付加情報を選択するためにも使用される。また、本第２の実施形態においては、デジタルスチルカメラ１は図１に示したブロック図の構成を持つ。以下、図５乃至図７に沿って説明する。
【００４９】
図５のフローチャートにおいては、予めデジタルスチルカメラ１の電源ＯＮ／ＯＦＦスイッチ２０２がＯＮに操作され、入力ポート１１３を通して中央制御部１０１がこれを認識して、不図示の電源部から各部へ電力を供給している状態になっているものとする。
【００５０】
また、不図示のＰＣでは、画像に付加するタイトルや撮像場所等の付加情報をデジタルスチルカメラに送信するためのソフトウェアを起動し、上記ＰＣはＩｒＤＡの仕様に準拠した赤外線通信機能を有しているものとする。
【００５１】
デジタルスチルカメラ１は、赤外線透過部２０６を通して赤外線信号を受光器１１８で受信し（Ｓ３０１）、電気信号に変換する。変換された電気信号は符号化復号化部１１６によって復号され、更にパラレル／シリアル変換部１１５によってシリアルデータからパラレルデータに変換された後、中央制御部１０１によってその内容を読み取られる。中央制御部１０１は相手装置（ＰＣ）に対して応答信号を出力する。出力された応答信号は、パラレル／シリアル変換部１１５によってパラレルデータからシリアルデータに変換され、符号化復号化部１１６によって符号化された後、発光器１１７によって電気信号から赤外線信号に変されて送信される（Ｓ３０２）。ここで中央制御部１０１は計時部１０５を起動して計時を開始する（Ｓ１０３）。
【００５２】
続いてＰＣから赤外線信号でデータを受信すると（Ｓ３０４）、中央制御部１０１は計時部１０５による計時を停止し（Ｓ３０５）、受信したデータ（図８の液晶表示画面２０７に示したタイトル等の付加情報）をフラッシュメモリ１０４の特定領域（付加情報格納領域）に格納する（Ｓ３０６）。同様に、次のデータを受信したらフラッシュメモリ１０４に順次格納する。一連の付加情報の受信を終了するか、またはＰＣから付加情報送信終了を示すデータが送信されてきたら（Ｓ３０７）、赤外線通信を切断するためのコマンドを送信し合い、通信を終了する（Ｓ３０８）。
【００５３】
一方、ステップＳ３０３で計時を開始した所定時間が経過した場合（Ｓ３０９）は赤外線通信を切断するコマンドを送信して（Ｓ３１０）通信を終了する。
【００５４】
図６は本第２の実施形態における撮影時及び画像再生時の動作および制御手順を示す。先ず電源ＯＮ／ＯＦＦスイッチ２０２がＯＮされると（Ｓ４０１）、中央制御部１０１は入力ポート１１３を中継してこれを認識し、各部に電力を供給するように不図示の電源部を制御する（Ｓ４０２）。次にモード設定スイッチ２０３を操作して撮像モードに設定されたことを入力ポート１１３を中継して認識した場合、或いは上記電源をＯＮした時点で撮像モードに設定されており、中央制御部１０１が入力ポート１１３を中継してこれを認識した場合は（Ｓ４０３）、以後撮影が可能になる。ここで画像選択スイッチ２０４が押下されたことを入力ポート１１３を介して認識すると（Ｓ４０４）、図５の手順で格納された各付加情報の内から第１の付加情報をフラッシュメモリ１０４の付加情報格納領域より読み出し（Ｓ４０５）、該読み出した付加情報を画像メモリ１０９に与えて液晶駆動部１１０を介して液晶表示部１１１に図８に示す例のように表示させる（Ｓ４０６）。付加情報（文字イメージ）が被写体の妨げにならないようにするために、図示のごとく左上位置に表示する。
【００５５】
この状態で被写体を撮影するためのシャッタースイッチ２０１が押下されたことを検出すると（Ｓ４０７）、液晶表示画面２０７に表示されている内容、即ち、画像メモリ１０９のデータを、画像圧縮処理部１２０によって定められた圧縮率で圧縮してフラッシュメモリ１０４の画像データ格納領域に格納する（Ｓ４０８）。
【００５６】
この場合フラッシュメモリ１０４の画像データ格納領域には、被写体とともに付加情報（図８に示した例では「×××展示会  Ａ社」）が合成された画像として格納される。再度画像選択スイッチ２０４が押下されると（Ｓ４１１）、フラッシュメモリ１０４の付加情報格納領域より第２の付加情報（例えば、「×××展示会  Ｂ社」の様な情報）を読み出して（Ｓ４１２）、同様に液晶表示部１１１に表示する（Ｓ４０６）。この状態でシャッタースイッチ２０１を押下すると、被写体とともに上記第２の付加情報が画像データとしてフラッシュメモリ１０４に格納される。また画像選択スイッチ２０４を押下せずにシャッタスイッチを複数回押下すれば、同一の付加情報を液晶表示部１１１に表示した状態で複数の被写体を撮影することが可能であり、同一付加情報が合成された複数の画像データを得ることができる。
【００５７】
一方、ステップＳ４０３において、モード設定スイッチ２０３が再生モードを指示するようにセットされていたり、再生モードに変更するためにモード設定スイッチ２０３が操作された場合は、図７のフローチャートへ進み、フラッシュメモリ１０４から蓄積されている画像データの内の一枚分を読み出し（Ｓ５０１）、画像メモリ１０９に与えて液晶駆動部１１０を通して液晶表示部１１１に画像を表示させる（Ｓ５０２）。更に画像選択スイッチ２０４が押下されたことを中央制御部１０１が入力ポート１１３を中継して認識すると（Ｓ５０３）、フラッシュメモリ１０４の画像データ格納領域から次の画像データを読み出して（Ｓ５０４）、画像メモリ１０９に与えて液晶駆動部１１０を通して液晶表示部１１１に画像を表示する（Ｓ５０５）。
【００５８】
電源ＯＮ／ＯＦＦスイッチ２０２が電源をＯＦＦするように操作されたことを検出すると（Ｓ５０６）、各部への電力供給を停止する（Ｓ５０７）。また、ステップＳ５０６で電源がＯＦＦされない場合、図６のステップＳ４０３に戻る。
【００５９】
本第２の実施形態によれば、撮影された画像を後から識別可能にするための、撮影する画像のタイトル、場所等の付加情報をＰＣ等から予め送信して格納させることが可能となる。
【００６０】
また、撮影時には、デジタルスチルカメラの電源を投入して撮像モードにし、所望の付加情報を表示して被写体を撮影すれば、自動的に付加情報が合成された画像データを格納することができる。
【００６１】
なお、予め撮影するスケジュール（例えばＡ社のＡ製品、Ｂ社のＢ製品など）を登録しておき、Ａ製品を多数撮影してしまい、他の製品についての撮影ができなくなってしまうこともあり得る。この場合、実撮影の製品数に対するメモリの空き容量が乏しくなった場合（例えば未撮影の製品の数がＮで画像一枚あたりの記憶に必要なメモリ量がａの時、メモリ残量Ｍとの関係がＮ×ａ≒Ｍになった場合）、同じ製品の画像を複数枚撮影すると、残りの撮影に支障を来すことを表示させるようにしてもよい。
【００６２】
また、被写体を撮影する順番は予め登録されたスケジュール通りとは限らず、Ａ製品、Ｂ製品、Ｃ製品、Ｄ製品…といった順番で付加情報を登録してあってもＣ製品、Ａ製品といったように異なる順番で実際の撮影を行うことがある。従って、例えば、どの製品が未撮影であるのかを表示するようにしてもよい。その場合、撮影したか否かを示すフラグをスケジュールとして登録された付加情報毎に設ければよい。
【００６３】
上記のように構成することにより、予め登録されたそれぞれの付加情報に対応する対象物についての撮像もれを防ぐことが可能となる。
【００６４】
（第３の実施形態）
図９は本発明の第３の実施形態におけるプリンタの構成を示すブロック図である。
【００６５】
同図において、９０１はプリンタ９全体を制御するための中央制御部、９０２は中央制御部９０１が動作するためのプログラム命令や文字フォントデータが予め格納されているＲＯＭ、９０３は中央制御部が動作するために必要に応じてデータの書き込みや読み出しを行うためのＲＡＭ、９０４はカレンダー機能を有する計時部、９０５は電池である。電池９０５は、デジタルスチルカメラ１の不図示の電源をＯＦＦにしても計時部９０５が計時を続けられるように電力を供給する。
【００６６】
また、９０６は印刷装置９に設置されている電源スイッチ、排紙スイッチ、後述する画像読み出しスイッチ等のスイッチ群、９０７は上記スイッチ群９０６の状態を入力して、中央制御部９０１へ伝達するための入力ポート、９０８は中央制御部９０１の制御に基づいて動作して、中央制御部９０１から送られてくる印刷データに基づいてプリントエンジン部９０９を制御するプリントエンジン制御回路、９０９はプリントエンジン制御回路９０８の制御のもとに印刷を行うプリントエンジン部、９１０はデジタルスチルカメラ１等の撮像装置との通信手段である赤外線通信部であり、図１と同様に赤外線による無線通信手段、例えばＩｒＤＡの仕様に準拠した赤外線通信手段を採用しているものとする。上記赤外線通信部９１０は、パラレルデータ／シリアルデータ変換部９１１、赤外線で無線通信を行うのに適した信号形式に符号化したり、符号化された受信信号を復号化するための符号化復号化部９１２、電気信号を赤外線に変換する発光器９１３および赤外線を電気信号に変換する受光器９１４とからなる。
【００６７】
９１５はフラッシュメモリであり、予め画像データ等を格納しておき、必要時に読み出すためのもので、プリンタの電源がＯＦＦの間も内部のデータが保持される、９１６はフラッシュメモリ９１５から読み出した画像データと赤外線通信部で受信した印刷データとを合成するための画像合成処理部、９１７は液晶表示部である。さらに、９１８は内部バスであり、プリンタ９内の各部、即ち、中央制御部９０１、ＲＯＭ９０２、ＲＡＭ９０３、計時部９０４、入力ポート９０７、プリントエンジン制御回路９０８、パラレル／シリアル変換部９１１、フラッシュメモリ９１５、画像合成処理部９１６、液晶表示部９１７の各部を接続してデータの受け渡し等を行うためのものである。
【００６８】
図１０は本第３の実施の形態を説明するためのプリンタ９の動作手順を示すフローチャートである。ここでは予めプリンタ９のスイッチ群９０６の中の電源スイッチが押下され、入力ポート９０７を通して中央制御部９０１がこれを認識して、不図示の電源部から各部へ電力が供給されている状態であるものとする。
【００６９】
先ず、スイッチ群９０６の中の画像選択スイッチが押下され、入力ポート９０７を通して中央制御部９０１がこれを認識すると、フラッシュメモリ９１５から第１の画像データを読み出して（Ｓ６０２）、該読み出した画像データを液晶表示部９１７によって表示させる。該表示された画像データではなく別の画像データを使用したい場合は再度画像選択スイッチを押下する（Ｓ６０４）。中央制御部９０１はこれを認識すると、フラッシュメモリ９１５から次の画像データを読み出して（Ｓ６０５）、同様に液晶表示部９１７に表示させる（Ｓ６０３）。この時点で、液晶表示部９１７の表示内容は第１の画像データから第２の画像データに変化する。
【００７０】
これを繰り返して所望の画像データを液晶表示部９１７に表示させている時に、図１に示すデジタルスチルカメラ１を操作してモード設定スイッチ２０３を再生モードに設定し、画像選択スイッチ２０４を操作してフラッシュメモリ１０４の中から印刷したい画像データを液晶表示画面２０７に表示させ、印刷スイッチ２０５を押下すると、該表示している画像データを印刷データに変換して、赤外線通信により印刷データの送信を開始する。この時例えば、図２に示した液晶表示画面２０７へ表示させている画像データを印刷するものとする。プリンタ９の中央制御部９０１は、赤外線通信開始コマンドをデジタルスチルカメラ１から、受光器９１４、符号化復号化部９１２、及びパラレル／シリアル変換部９１１を経由して受信すると（Ｓ６０６）、応答信号をパラレル／シリアル変換部９１１、符号化復号化部９１２、発光器９１３を通してデジタルスチルカメラ１へ送信する（Ｓ６０７）。続いてデジタルスチルカメラ１から受信した印刷データを順次ＲＡＭ９０３へ格納し（Ｓ６０８）、１画面分の印刷データの受信を終了すると（Ｓ６０９）、ＲＡＭ９０３へ格納した１画面分の印刷データと上記液晶表示部に表示させている画像データとを画像合成処理部９１６を用いて合成し、プリントエンジン制御回路９０８へ送信する（Ｓ６１０）。プリントエンジン制御回路はプリントエンジン部９０９を制御して印刷処理を実施する。印刷を行う前に、画像合成した結果を液晶表示部９１７へ表示させてもよい。
【００７１】
これにより得られた印刷結果の例を図１１に示す。図１１において１０１１は印刷用紙、１１０２は画像選択スイッチによりフラッシュメモリ９１５から選択された画像データの印刷結果、１１０３はデジタルスチルカメラ１から受信した印刷データの印刷結果である。
【００７２】
続いて次の印刷データの受信を開始した場合は、ステップＳ６０８からステップＳ６１０を繰り返す。印刷データの受信を終了するか、または印刷データ終了を示すデータをデジタルスチルカメラ１から受信すると（Ｓ６１１）、赤外線通信を切断する処理を行って（Ｓ６１２）、一連の処理を終了する。
【００７３】
図１１の１１０２に示した画像データとは異なる画像データを使用したい場合は再度画像選択スイッチを操作して所望の画像データを選択し、更にデジタルスチルカメラ１で印刷させたい画像データを選択して、印刷スイッチ２０５を操作すればよい。
【００７４】
即ち、同一の画像データを選択している間に、デジタルスチルカメラ１から複数枚の画像の印刷データを受信し、それぞれ画像合成処理を行って複数の印刷結果を得ることも可能である。また、それぞれ異なる画像データをフラッシュメモリ９１５から選択して、デジタルスチルカメラ１から送信された１枚の画像の印刷データと合成処理して複数の印刷結果を得ることも可能である。
【００７５】
また、第３の実施形態の変形例として、デジタルスチルカメラ１にも画像合成処理手段を備え、プリンタ９のフラッシュメモリ９１５から選択された画像データをデジタルスチルカメラ１に送信して、印刷したい撮像画像の画像データと上記プリンタ９から受信した画像データを合成処理して液晶表示部１１１に表示させるようにすることも考えられる。この場合、どのような印刷結果になるかが、デジタルスチルカメラ１の液晶表示画面２０７上で確認することができる。
【００７６】
また、予め画像データをフラッシュメモリ９１５に格納するために、フラッシュメモリ９１５を備えているが、代わりにＲＯＭ９０２を使用する等、メモリの使用のしかたは、本第３の実施形態に限定されるものではない。
【００７７】
（第４の実施形態）
以上説明した本発明の実施の形態では、デジタルスチルカメラ１と図示しないＰＣとの間の通信手段およびデジタルスチルカメラ１とプリンタ９との間の通信手段として、赤外線による無線通信手段、特にＩｒＤＡが定めた仕様に従った通信手段を用いた場合について説明したが、他の赤外線による無線通信手段であっても構わない。また、赤外線の代わりに電波を用いた無線通信手段であってもよい。
【００７８】
更には、上記通信手段はシリアル有線通信手段、例えばＵＳＢ（Ｕｎｉｖｅｒｓａｌ  Ｓｅｒｉａｌ  Ｂｕｓ）の仕様に従った有線通信手段や、ＩＥＥＥ１３９４の仕様に従った有線通信手段とすることも可能である。
【００７９】
（第５の実施形態）
上記の本発明の実施の形態では、撮像装置としてデジタルスチルカメラを用いた場合について説明したが、撮像装置はデジタルビデオカメラ等の他の装置であっても本発明を適用可能である。デジタルビデオカメラである場合は、付加情報として音声信号を送信して格納させておくことも考えられる。
【００８０】
また第１の実施形態、第２の実施形態では、予め撮像装置に設定データや付加情報を与える装置としてＰＣ（パーソナルコンピュータ）を用いて説明したが、他の装置例えばＰＤＡ（Ｐｅｒｓｏｎａｌ  Ｄｉｇｉｔａｌ  Ａｓｓｉｓｔａｎｔ）やプリンタ、または専用の装置を用いてもよい。
【００８１】
（第６の実施形態）
図１２は、本発明の第６の実施形態にかかる印刷装置の概略構成を示すブロック図である。
【００８２】
図中、１２０１は入力部であり、ユーザによる印刷指示および印刷画像の入力を行う。プリンタユニット１２０２はヘッド移動および記録用紙の送りなどを行うモータ、印字を行う印字ヘッドなどから構成され、ＣＰＵ１２０３の制御により記録用紙への印字操作を行う。ＣＰＵ１２０３はマイクロプロセッサなどで構成され、ＲＯＭ１２０５に記憶されたプログラムに従って制御を行う。特に、プリンタユニット１２０２内部のモータ、ヘッドなどを制御し、印刷動作を行う。ＲＡＭ１２０４はプリンタユニットで印刷動作を行うための画像データを格納する。また、ＣＰＵ１２０３での制御に必要な各種可変データも格納する。
【００８３】
カードスロット１２０６はメモリカード１２０７をバス１２０８に接続するために用いる。メモリカード１２０７は後述する図１４に示す構成を持つ二次記憶装置であり、着脱可能でカードスロット１２０６を介して印刷装置に接続される。メモリカード上の記憶部にはカードスロット１２０６、バス１２０８を通してＣＰＵ１２０３からアクセス可能である。
【００８４】
図１３は本発明の第６の実施形態にかかる撮像装置の概略構成を示すブロック図である。
【００８５】
図中、１３０１は入力部であり、ユーザによる撮影指示および撮影条件の設定などを行う。撮像ユニット１３０２はＣＣＤ、フィルタ、シャッターなどから構成され、ＣＰＵ１３０３の制御により撮影処理を行う。ＣＰＵ１３０３はマイクロプロセッサなどで構成され、ＲＯＭ１３０５に記憶されたプログラムに従って制御を行う。特に、撮像ユニット１３０２内部のＣＣＤ、シャッターなどを制御して、撮影動作を行う。ＲＡＭ１３０４は撮像ユニットで撮影動作を行った結果の画像データを格納する。また、ＣＰＵ１３０３での制御に必要な各種可変データを格納する。
【００８６】
カードスロット１３０６はメモリカード１３０７をバス１３０８に接続するために用いる。メモリカード１３０７は、メモリカード１２０７と同様に後述する図１４に示す構成を持つ二次記憶装置であり、着脱可能でカードスロット１３０６を介して撮像装置に接続される。メモリカード上の記憶部にはカードスロット１３０６、バス１３０８を通してＣＰＵ１２０３からアクセス可能である。
【００８７】
図１４はメモリカード１２０７及び１３０７として使用される二次記憶装置の概略構成を示すブロック図である。
【００８８】
図中、１４０１は画像処理情報格納部であり、例えば、ＲＧＢ画像データからＹＭＣ画像データに変換する処理に使用されるデータや、撮像装置や印刷装置の特性を示すデータなど、入力した画像及び印刷する画像に対する処理方法に関する情報を保持する。１４０２は画像データ格納部であり、入力部から入力した画像データを格納する。
【００８９】
次に、上記構成を持つ印刷装置における処理手順を図１５のフローチャートに従って説明する。なお、第６の実施形態においては、図１３に示す撮像装置が画像を撮影し、印刷すべき画像の画像データがすでに二次記憶手段上に記憶されているものと想定する。
【００９０】
印刷装置のキーが操作された場合、ステップＳ７０１で印刷キーが押下されたか否かをチェックする。印刷キーでない場合には、ステップＳ７０７において各キーに応じた処理を行う。なお、これらの処理については本発明に関わりがないので、説明を省略する。
【００９１】
印刷キーが入力された場合には（ステップＳ７０１でＹＥＳ）、印刷の指示が行われたと判断し、ステップＳ７０２でカードスロット上にカードが装着されているか判断する。ここでは、カード上の画像処理情報及び画像データを用いて印刷操作を行うことを想定している。
【００９２】
カードスロット１２０６にカードが装着されていない場合には、これ以上の処理が行えないので、ステップＳ７０８でエラー表示を行った後、処理を終了する。
【００９３】
カードスロット１２０６にメモリカード１２０７が装着されている場合には、ステップＳ７０３でメモリカード１２０７上に印刷すべき画像データがあるか否かを確認する。カード上に画像データがない場合には、やはりそれ以降の処理が行えないので、処理を終了する。
【００９４】
カード上に画像データが格納されている場合には、ステップＳ７０４で更にカード上に画像処理を行うための画像処理情報データがあるか否かを確認する。画像処理情報データがカード上にない場合には画像処理は行わず、ステップ７０６でプリンタユニット１２０２を駆動して印刷を行う。
【００９５】
ステップＳ７０４でカード上に画像処理情報データがあると判断された場合には、ステップＳ７０５へ進み、メモリカード１２０７上の画像処理情報データに基いてメモリカード１２０７上の画像データに対し画像変換処理を行う。変換後のデータは印刷装置上のＲＡＭ１２０４などに格納し、ステップＳ７０６で格納した画像データに基づきプリンタユニット１２０２を駆動して印刷を行う。
【００９６】
第６の実施形態においては、印刷キーの入力操作で、ユーザーがそれ以上の操作をしなくてもカード上の画像データに対して画像変換処理が行われる。また、着脱可能な二次記憶装置上に画像処理に関わる情報が格納されているため、別の画像処理情報の格納してあるカードを装着することにより、同じ操作で別の画像変換処理が行われる。
【００９７】
同様な処理をディジタルカメラなどの撮像装置に適用することにより、カード上の画像処理情報データを基にした画像変換を撮影画像に対して行うことで、簡単な操作での画像変換処理が可能になる。
【００９８】
また、画像処理情報データを格納するためのカード上の記憶部に複数種類の画像処理情報データを格納し、その情報を選択する構成を更に設けることにより、本実施例と同様の操作で指定した画像処理を行った画像を印刷することができる。
【００９９】
その場合、画像処理情報データを消去したり、画像データ格納部１４０２に記憶されたデータが処理済みであることを示すフラグなどを設けるようにしてもよい。
【０１００】
更に、本実施例のステップＳ７０５で画像変換を行った変換画像をカード上に格納することにより、変換機能を持たない安価な印刷装置を用いて変換された画像を印刷することが可能になる。
【０１０１】
【発明の効果】
以上説明したように、本発明によれば以下のような効果がある。
（１）予め、撮像装置の設定データをＰＣ等の外部装置から入力することにより、撮像条件の設定が簡易になる。
（２）予め、撮像装置の設定データをＰＣ等の外部装置から入力しておくことにより、撮影場所では電源をＯＮして撮像モードにするだけで、自動的に撮像条件が設定されるので、あわてる必要がなく、また設定を忘れて意図しない撮影結果となってしまうことを防ぐことができる。
（３）予め複数の付加情報を格納しておき、撮影したい場所で適合する付加情報を読み出して表示させて撮影し、該撮影した画像と該付加情報を合わせて格納するため、後で再生させたり、印刷した場合にその画像の内容がわかる。
【０１０２】
また、後で編集時に付加情報を追加したり印刷したものに書き加える等の必要が無くなる。
（４）撮像装置からプリンタに直接データを送信して印刷する場合、プリンタで背景画像等の画像データを選択し、選択した画像データと撮像装置からの印刷データとを合成して印刷することにより、ＰＣ等を通して画像合成処理しなくても、背景画像や、メッセージ等の画像を合成した印刷結果が得られる。
（５）画像処理に関わる各種処理情報があらかじめ着脱可能な二次記憶装置上に記憶されているため、撮像装置及び印刷装置間で同一の画像処理情報に基づいた画像処理を行うことができるため、より効果的な画像処理を行うことができる。
【０１０３】
【図面の簡単な説明】
【図１】本発明の実施の形態におけるデジタルスチルカメラの構成を示すブロック図である。
【図２】本発明の第１の実施形態に係るデジタルスチルカメラの外観図である。
【図３】本発明の第１の実施形態に係るデジタルスチルカメラの動作手順を示すフローチャートである。
【図４】本発明の第１の実施形態に係るデジタルスチルカメラの動作手順を示すフローチャートである。
【図５】本発明の第２の実施形態に係るデジタルスチルカメラの動作手順を示すフローチャートである。
【図６】本発明の第２の実施形態に係るデジタルスチルカメラの動作手順を示すフローチャートである。
【図７】本発明の第２の実施形態に係るデジタルスチルカメラの動作手順を示すフローチャートである。
【図８】本発明の第２の実施形態に係るデジタルスチルカメラの外観図である。
【図９】本発明の第３の実施形態に係るプリンタの構成を示すブロック図である。
【図１０】本発明の第３の実施形態に係るプリンタの動作手順を示すフローチャートである。
【図１１】本発明の第３の実施形態に係る印刷結果を示す概略図である。
【図１２】本発明の第６の実施形態にかかる印刷装置の概略構成を示すブロック図である。
【図１３】本発明の第６の実施形態にかかる撮像装置の概略構成を示すブロック図である。
【図１４】二次記憶装置の概略構成を示すブロック図である。
【図１５】図１２に示す印刷装置における処理手順を示すフローチャートである。
【図１６】従来のデジタルスチルカメラの外観図である。
【図１７】従来のデジタルスチルカメラの外観図である。
【図１８】従来の印刷結果を示す概略図である。
【符号の説明】
１      デジタルスチルカメラ
９      プリンタ
１０１、９０１  中央制御部
１０２、９０２  ＲＯＭ
１０３、９０３  ＲＡＭ
１０４、９１５  フラッシュメモリ
１０５、９０４  計時部
１０６、９０５  電池
１０７  撮像部
１０８  色処理変換部
１０９  画像メモリ
１１０  液晶駆動部
１１１  液晶表示部
１１２、９０６  スイッチ群
１１３、９０７  入力ポート
１１４、９１０  赤外線通信部
１１５、９１１  パラレル／シリアル変換部
１１６、９１２  符号化復号化部
１１７、９１３  発光器
１１８、９１４  受光器
１１９、９１８  内部バス
１２０  画像圧縮処理部
９０８  プリントエンジン制御部
９０９  プリントエンジン部
９１６  画像合成処理部
９１７  液晶表示部
２０１  シャッタスイッチ
２０２  電源ＯＮ／ＯＦＦスイッチ
２０３  モード設定スイッチ
２０４  画像選択スイッチ
２０５  印刷スイッチ
２０６  赤外線透過部
２０７  液晶表示画面
【図１】
0003890122.tif 000002
【図２】
0003890122.tif 000003
【図３】
0003890122.tif 000004
【図４】
0003890122.tif 000005
【図５】
0003890122.tif 000006
【図６】
0003890122.tif 000007
【図７】
0003890122.tif 000008
【図８】
0003890122.tif 000009
【図９】
0003890122.tif 000010
【図１０】
0003890122.tif 000011
【図１１】
0003890122.tif 000012
【図１２】
0003890122.tif 000013
【図１３】
0003890122.tif 000014
【図１４】
0003890122.tif 000015
【図１５】
0003890122.tif 000016
【図１６】
0003890122.tif 000017
【図１７】
0003890122.tif 000018
【図１８】
0003890122.tif 000019